(57)【要約】
【課題】　製造が容易であり、コストも安価で使用しやすく、殺菌効果等の薬効が長時間持続する創傷保護絆創膏を提供する。
【解決手段】　液体殺菌消毒剤を含浸させた織布や不織布等のパッド部２０を有し、パッド部２０の周囲を囲むように粘着フィルム１８が形成され、パッド部２０を囲む粘着フィルム１８の粘着剤層１６には、剥離フィルム２２，２３を貼り付けてなる。パッド部２０の表面には被覆材２６が貼り合わせられている。粘着フィルム１８には、粘着剤を塗工したウレタンフィルムの粘着剤層１６側にナイロンネット１４が設けられている。
【選択図】　　　図１
0003099435.tif 000002
【実用新案登録請求の範囲】
【請求項１】
　表面に粘着剤層を有した粘着フィルムが設けられ、この粘着剤層により周囲が囲まれる程度の大きさのパッド部を備え、このパッド部に液体殺菌消毒剤を含浸させて成り、上記パッド部及びその周囲の上記粘着剤層を剥離フィルムにより被覆したことを特徴とする創傷保護絆創膏。
【請求項２】
　上記パッド部の表面は、上記液体殺菌剤が透過可能な被覆材により覆われていること特徴とする請求項１記載の創傷保護絆創膏。
【請求項３】
　上記パッド部には、上記粘着剤層との粘着性が良い樹脂フィルムが一体に設けられ、この樹脂フィルムを上記粘着剤層に貼り付けて成ること特徴とする請求項１記載の創傷保護絆創膏。
【請求項４】
　上記粘着フィルムは、粘着剤を塗工したウレタンフィルムの粘着剤層側にナイロンネットが設けられたものであることを特徴とする請求項２または３記載の創傷保護絆創膏。
【請求項５】
　上記パッド部の周囲の剥離フィルムは重剥離フィルムであり、この重剥離フィルムを粘着剤層側に加圧して粘着して成ること特徴とする請求項２，３または４記載の創傷保護絆創膏。
【考案の詳細な説明】
【技術分野】
【０００１】
　この考案は、身体の傷面を殺菌消毒剤が付着したパッドで覆い保護する創傷保護絆創膏に関する。
【背景技術】
【０００２】
　一般に傷絆創膏は、粘着テープに乾燥したガーゼを貼付し、粘着面及びパッドを剥離紙で覆い、紙製の袋等に包装されている。しかし、この傷絆創膏はパッド部分のガーゼに乾燥した殺菌消毒剤が含浸されているだけであり、殺菌剤が少なく、深い傷や汚れた傷口の場合の殺菌効果が弱いものであった。
【０００３】
　そこで、例えば実開昭６２−４２８１８号公報、実開平９−２５１号公報に開示されているように、使用時にパッド部のガーゼに薬液を染みこませて使用する絆創膏が提案されている。
【考案の開示】
【考案が解決しようとする課題】
【０００４】
　しかしながら、上記従来技術の実開昭６２−４２８１８号公報に開示された構造の場合、使用する際に殺菌消毒用の薬液を絆創膏の外側から滴下して含浸させなければならず、使用しにくいという欠点があった。一方、実開平９−２５１号公報に開示されているものは、薬液が入れられたブリスターパックにパッド部が重ねられ、使用持には、ブリスターパックを押し破ってパッド部に薬液を染みこませて、傷口に貼り付けるものであり、使用に際してはブリスターパックを押し破る以外は通常の傷絆創膏と同様に使用し得る。しかしながら、ブリスターパックに薬液を入れて密封包装し、絆創膏部分を一体に貼り付ける等、製造工程や材料が多く、製品コストが高くなるという問題があった。さらに、使用時にブリスターパックを押し破る操作が煩わしい等の問題もあった。
【０００５】
　この考案は、上記従来の問題点に鑑みてなされたもので、製造が容易であり、コストも安価で、使用しやすく、殺菌効果が長時間効果的に持続する創傷保護絆創膏を提供することを目的とする。
【課題を解決するための手段】
【０００６】
　この考案は、表面に粘着剤層を有した粘着フィルムが設けられ、この粘着剤層により周囲が囲まれる程度の大きさのパッド部を備え、このパッド部に液体殺菌消毒剤を含浸させて成り、上記パッド部及びその周囲の上記粘着剤層を剥離フィルムにより被覆した創傷保護絆創膏である。
【０００７】
　上記パッド部の表面は、上記液体殺菌剤が透過可能な被覆材により覆われているものである。上記パッド部には、上記粘着剤層との粘着性が良い樹脂フィルムが一体に設けられ、この樹脂フィルムを上記粘着剤層に貼り付けて成る。また、上記粘着フィルムは、粘着剤を塗工したウレタンフィルムの粘着剤層側にナイロンネットが設けられたものである。上記パッド部の周囲の剥離フィルムは重剥離フィルムであり、この重剥離フィルムを粘着剤層側に加圧して粘着して成るものである。
【考案の効果】
【０００８】
　この考案の創傷保護絆創膏によれば、液体状態の薬液を長期間保存することができ、使用時にも従来の傷絆創膏と同様に剥離紙を剥がして容易に使用可能である。そして、皮膚の創傷面に液体の殺菌消毒剤が接触するので、乾燥パッド部の絆創膏を貼付する場合と比較して、創傷部位の細胞の治癒を促進し自然治癒を早めることができる。液体の薬剤を利用することができることによって、使用可能な薬剤の種類が増え、より効果的な殺菌消毒やその他の薬効を可能にする。殺菌消毒剤は、創傷面を痛めることなく薬剤が浸透し、薬剤が均一に創傷部位に作用し、細菌の侵入も確実に阻止する。さらに、創傷部位に癒着することが無く、治癒が早く、創傷保護絆創膏の交換時にも疼痛がない。
【考案を実施するための最良の形態】
【０００９】
　以下、この考案の実施の形態について図面に基づいて説明する。図１，図２はこの考案の一実施形態を示すもので、この実施形態の創傷保護絆創膏１０は、長方形の薄いＰＥＴ等の支持体フィルム１２を有する。支持体フィルム１２は、液体の薬剤を吸着しない材料が好ましい。この支持体フィルム１２の一面には、同形のナイロンネット１４、及び粘着剤層１６を備え、粘着フィルム１８を構成している。そして、この粘着剤層１６が形成された側の面の中央部に、パッド部２０が設けられている。粘着剤層１６及びパッド部２０には、剥離フィルム２２，２３が貼り付けられて覆われている。
【００１０】
　パッド部２０は、目付量が１５０〜２００ｇ／ｍ２、厚さが０．５〜１ｍｍの不織布、織布が好ましい。また、パッド部２０は、薄い穴あきフィルムまたはネット等の被覆材２６により、少なくとも表面側が覆われ、液体殺菌消毒剤が透過可能に被覆材２６により覆われている。
【００１１】
　剥離フィルム２２は、２０〜３０μｍの柔らかいポリオレフィンフィルムから成る剥離材である。この剥離フィルム２２は、粘着剤層１６との粘着性を失わせる表面処理が施されていない重剥離フィルムでも良い。これにより、液体殺菌消毒剤がパッド部２０から漏れにくくなる。ここで、重剥離とは、幅２５ｍｍ程度のテープを粘着して剥がす際の力の程度を言い、数値で表示すると、５．０〜１０．０Ｎ／２５ｍｍ、好ましくは７．０〜８．５Ｎ／２５ｍｍ程度の剥離力に設定されているものを言う。また重剥離に対する軽剥離とは、同様に幅２５ｍｍ程度のテープを粘着して剥がす際の力の程度を言い、数値で表示すると、０．５Ｎ／２５ｍｍ以下の力で剥離可能なものを言い、好ましくは０．２〜０．３Ｎ／２５ｍｍ程度の剥離力に設定されているものを言う。
【００１２】
　パッド部１８には、液体の殺菌消毒剤として、アクリノール、グルコン酸クロルヘキシジン、塩化ベンザルコニウム、イソプロパノール、塩化ベンゼトニウム、オキシドール、エチルアルコール、塩酸ナファゾリン、マレイン酸クロルフェニラミン、ポピヨンヨード、塩化セチルピリジニウム、等が液体のまま含浸されている。さらに、局所麻酔剤として、リドカイン、塩酸ジブカイン、皮膚修復剤としてアラントイン等の薬剤を配合しても良い。また、抗生物質を配合しても良い。さらに、患部を湿潤状態とするために、生理食塩水を含浸させても良い。
【００１３】
　次に、この実施形態の創傷保護絆創膏１０の製造方法について説明する。まず、パッド部２０を形成する不織布等の材料の表面に被覆材２６を貼り付ける。パッド部２０を形成する不織布等の材料は、パッド部２０の長手方向の幅に形成された長尺の材料であり、このパッド部用材料を包むように、パッド部２０よりも幅広の連続した細長い被覆材用材料で連続的に覆う。
【００１４】
　このパッド部２０は、粘着フィルム１８に設けられた状態で、その周囲に粘着剤層１６が露出する程度の幅に形成され、液体の殺菌消毒剤を染み込ませた後、粘着フィルム１８の中央部に貼付可能な大きさに裁断する。
【００１５】
　次に、このパッド部２０を粘着フィルム１８の粘着剤層１６に貼り付ける。そして、粘着フィルム１８の一方の端部の粘着剤層１６からパッド部２０にかけて剥離フィルム２３を貼り付ける。次に、他方の側から、同形の剥離フィルム２２でパッド部２０、剥離フィルム２３の一部及び粘着フィルム１８の残りの部分を覆う。さらに、パッド部２０の周囲の剥離フィルム２２，２３を粘着剤層１６側に加圧し、粘着を強化して液体の殺菌消毒剤が周囲に漏れないようにする。
【００１６】
　この実施形態の創傷保護絆創膏によれば、液体の殺菌消毒剤が含浸しパッド部２０を剥離フィルム２２，２３で覆い、周囲の粘着剤層１６に剥離フィルム２２，２３を粘着させているので、パッド部２０が確実に被覆され、薬液が蒸発しにくいものである。包装は、アルミニウムラミネートフィルムにより密封包装することで長期間の保管にも、薬液の蒸発を抑えることができる。なお、ラミネートフィルムの内側のシーラント材料は、サラリン，ＥＭＡＡ等の薬液が吸着がない材料を用いると良い。
【００１７】
　この考案の創傷保護絆創膏は、使用時には、液体殺菌消毒液が皮膚の創傷面に接し、確実な殺菌効果が得られ、長時間の連続使用も可能となる。また、傷口を殺菌し湿潤密閉状態で被覆することにより、治療促進効果が得られるとともに、看護の省力化も可能となる。また、傷口に接する部分に被覆材２６を設けることにより、不織布等が傷口に癒着することがない。
【００１８】
　なお、この考案の創傷保護絆創膏は上記各実施形態に限定されるものではなく、図３に示すように、パッド部２０の一方の面には、柔らかいポリオレフィンやポリエチレン等の樹脂フィルム２４が熱溶着または粘着され、粘着剤層１６と確実に粘着するように形成されていても良い。
【図面の簡単な説明】
【００１９】
【図１】この考案の一実施形態の創傷保護絆創膏の縦断面図である。
【図２】この実施形態の創傷保護絆創膏の平面図である。
【図３】この考案の他の実施形態の創傷保護絆創膏の縦断面図である。
【符号の説明】
【００２０】
　１０　創傷保護絆創膏
　１２　支持体フィルム
　１４　ナイロンネット
　１６　粘着剤層
　１８　粘着フィルム
　２０　パッド部
　２２，２３　剥離フィルム
【図１】
0003099435.tif 000003
【図２】
0003099435.tif 000004
【図３】
0003099435.tif 000005